(57)【特許請求の範囲】
【請求項１】
紙素材からなる表シート部及び裏シート部から袋状に構成され、一端側に開口部を有する封筒本体部と、
前記表シート部における前記開口部側の端縁部から延出されて構成され、該端縁部に前記裏シート部側に折り返し可能な折り目部を有する封緘片部と、
を備える封筒であって、
前記封緘片部における前記表シート部側の表面が第１被覆部材により被覆されて形成された第１被覆部と、
前記裏シート部の表面における前記開口部側が第２被覆部材により被覆されて形成された第２被覆部と、
前記第１被覆部及び前記第２被覆部に着脱自在な粘着面を有し、前記裏シート部側に折り返された前記封緘片部を該裏シート部に貼り付ける封緘テープと、
を更に備え、
前記第２被覆部における前記開口部から遠い側の端縁部は、前記封緘片部が前記裏シート部側に折り返された状態において、該封緘片部の延出方向の先端部よりも前記封筒本体部の他端側に位置し、
前記第１被覆部材は、前記折り目部を跨いで前記表シート部の表面における前記開口部側を被覆し、前記開口部の他端側を被覆しない封筒。
【請求項２】
前記封緘テープは、前記粘着面を裏面に有して帯状に形成され、長手方向の一端部を該粘着面側に折り返し該粘着面に貼り付けた状態で、前記第１被覆部及び前記第２被覆部に貼り付けられる請求項１に記載の封筒。
【請求項３】
前記第１被覆部材及び前記第２被覆部材は、透明フィルムにより構成される請求項１又は２に記載の封筒。
【発明の詳細な説明】
【技術分野】
【０００１】
本発明は、開封しても再利用可能な封筒に関する。
【背景技術】
【０００２】
近年、紙資源の有効利用という観点から、使用済みの紙製封筒を再利用することが行われている。封筒の封緘手段としては、片面に粘着面を有する片面テープ、両面に粘着面を有する両面テープ及び糊等が利用される。
【０００３】
しかし、このような封緘手段を使用して封筒を封緘する場合、接着面が強固に接着される。そのため、一旦封緘した封筒を開封すると、封緘部に損傷が生じ、再利用できなくなってしまう場合が多かった。
【０００４】
使用済みの封筒を再利用可能にする従来技術として、封筒の封緘部に着脱可能な面ファスナを使用したもの（例えば、特許文献１参照）や、封緘部に切り離し可能なミシン目又は切り目を設けたもの（例えば、特許文献２参照）が提供されている。
【０００５】
前記特許文献１に記載の技術によれば、封緘部における面ファスナの係合を外すことにより封筒を容易に開封することができる、としている。
また、前記特許文献２に記載の技術によれば、封緘部をミシン目等から切り離すことにより封筒を容易に開封することができる、としている。
【先行技術文献】
【特許文献】
【０００６】
【特許文献１】実用新案登録第３０８２９１８号公報
【特許文献２】実用新案登録第３１３２４８２号公報
【発明の概要】
【発明が解決しようとする課題】
【０００７】
しかし、前記特許文献１に記載の技術は、封筒の封緘部に面ファスナを設けなければならず、製造に手間がかかり、コストアップとなるという課題があった。
また、前記特許文献２に記載の技術は、封筒の封緘部にミシン目等を設けなければならず、製造に手間がかかり、コストアップとなるという課題があった。また、封筒の再利用時には、封緘部がミシン目等から切り離されるため、封筒の大きさが縮小する。そのため、封筒の再利用可能な回数が制約されてしまうという課題があった。
【０００８】
従って、簡易な構成により容易に開封することができると共に、再利用可能な回数を増加することができる封筒が望まれていた。また、そのような封筒を製造する方法が望まれていた。
【０００９】
本発明は、簡易な構成により容易に開封することができると共に、再利用可能な回数を増加することができる封筒を提供することを目的とする。
【課題を解決するための手段】
【００１０】
本発明は、紙素材からなる表シート部及び裏シート部から袋状に構成され、一端側に開口部を有する封筒本体部と、前記表シート部における前記開口部側の端縁部から延出されて構成され、該端縁部に前記裏シート部側に折り返し可能な折り目部を有する封緘片部と、
を備える封筒であって、前記封緘片部における前記表シート部側の表面が第１被覆部材により被覆されて形成された第１被覆部と、前記裏シート部の表面における前記開口部側が第２被覆部材により被覆されて形成された第２被覆部と、前記第１被覆部及び前記第２被覆部に着脱自在な粘着面を有し、前記裏シート部側に折り返された前記封緘片部を該裏シート部に貼り付ける封緘テープと、を更に備え、前記第２被覆部における前記開口部から遠い側の端縁部は、前記封緘片部が前記裏シート部側に折り返された状態において、該封緘片部の延出方向の先端部よりも前記封筒本体部の他端側に位置し、前記第１被覆部材は、前記折り目部を跨いで前記表シート部の表面における前記開口部側を被覆し、前記開口部の他端側を被覆しない封筒に関する。
【００１３】
また、前記封緘テープは、前記粘着面を裏面に有して帯状に形成され、長手方向の一端部を該粘着面側に折り返し該粘着面に貼り付けた状態で、前記第１被覆部及び前記第２被覆部に貼り付けられることが好ましい。
【００１４】
また、前記第１被覆部材及び前記第２被覆部材は、透明フィルムにより構成されることが好ましい。
【発明の効果】
【００１７】
本発明によれば、簡易な構成により容易に開封することができると共に、再利用可能な回数を増加することができる封筒を提供することができる。
【図面の簡単な説明】
【００１８】
【図１】本発明の実施形態の封筒１０を示す正面図である。
【図２】本発明の実施形態の封筒１０を示す背面図である。
【図３】図２に示す封筒１０をＡ−Ａ線で切断した部分断面図である。
【図４】封緘片部１７が裏シート部１３側に折り返された封筒１０を示す背面図である。
【図５】封緘テープ３０を示す断面図である。
【図６】（ａ）は、第１被覆部２０及び第２被覆部２５に貼り付けられた封緘テープ３０を示す説明図であり、（ｂ）は第１被覆部２０及び第２被覆部２５に貼り付けられた封緘テープ３０を剥離する様子を示す説明図である。
【発明を実施するための形態】
【００１９】
以下に、本発明の実施形態の封筒１０について図１から図６を参照しながら説明する。図１は、本発明の実施形態の封筒１０を示す正面図である。図１においては、説明の便宜上、第１被覆部２０を斜線で示してある。図２は、本発明の実施形態の封筒１０を示す背面図である。図２においては、説明の便宜上、第２被覆部２５を斜線で示してある。図３は、図２に示す封筒１０をＡ−Ａ線で切断した部分断面図である。図３には、説明の便宜上、封緘テープ３０を示してある。
【００２０】
図４は、封緘片部１７が裏シート部１３側に折り返された封筒１０を示す背面図である。図５は、封緘テープ３０を示す断面図である。図６（ａ）は、第１被覆部２０及び第２被覆部２５に貼り付けられた封緘テープ３０を示す説明図であり、図６（ｂ）は第１被覆部２０及び第２被覆部２５に貼り付けられた封緘テープ３０を剥離する様子を示す説明図である。
【００２１】
図１から図５に示すように、封筒１０は、封筒本体部１１と、封緘片部１７と、第１被覆部２０と、第２被覆部２５と、封緘テープ３０と、を備える。
図１から図３に示すように、封筒本体部１１は、紙素材からなる表シート部１２及び裏シート部１３から袋状に構成され、一端側に開口部１４を有する。表シート部１２及び裏シート部１３は、封筒本体部１１の表裏を構成する矩形状のシート部材（紙片）である。
【００２２】
封緘片部１７は、図１及び図２に示すように、表シート部１２における開口部１４側の端縁部１２ａから延出されて構成されている。封緘片部１７は、例えば、等脚台形の形状を有している。封緘片部１７は、この端縁部１２ａに裏シート部１３側に折り返し可能な折り目部１８を有する。つまり、折り目部１８は、表シート部１２と封緘片部１７との境界位置に設けられている。
【００２３】
図１に示すように、第１被覆部２０は、封緘片部１７における表シート部１２側の表面が第１被覆部材２０ａにより被覆されて形成される。また、第１被覆部２０は、表シート部１２の表面における開口部１４側が、第１被覆部材２０ａにより折り目部１８を跨いで被覆されて形成される。
【００２４】
図２に示すように、第２被覆部２５は、裏シート部１３の表面における開口部１４側が第２被覆部材２５ａにより被覆されて形成される。図４に示すように、第２被覆部２５における開口部１４から遠い側の端縁部２５ｂは、封緘片部１７が裏シート部１３側に折り返された状態において、封緘片部１７の延出方向の先端部１７ａよりも封筒本体部１１の他端（図４において下方）側に位置している。
【００２５】
また、図３に示すように、封緘片部１７の先端部１７ａと第２被覆部２５の端縁部２５ｂとの距離Ｌは、封緘テープ３０の幅Ｗの半分（Ｗ／２）よりも大きくなっていることが好ましい。第２被覆部２５において、封緘テープ３０の貼り代を確保するためである。
【００２６】
第１被覆部２０及び第２被覆部２５は、例えば、透明な合成樹脂フィルムにより構成されている。第１被覆部２０及び第２被覆部２５は、粘着面を裏面に有して帯状に形成された粘着テープとして構成されている。合成樹脂フィルムは、封緘テープ３０を着脱自在とするために、表面が円滑（滑り性が高い）なものが好ましい。合成樹脂フィルムとしては、例えば、高密度のポリエチレンやポリプロピレン等により形成されたフィルムを挙げることができる。
【００２７】
なお、第１被覆部２０は、ラミネート加工により封緘片部１７及び表シート部１２に接着されてもよい。また、第２被覆部２５は、ラミネート加工により裏シート部１３に接着されてもよい。
【００２８】
封緘テープ３０は、図５に示すように、第１被覆部２０及び第２被覆部２５に着脱自在な粘着面３１を裏面に有して帯状に形成され、裏シート部１３側に折り返された封緘片部１７を裏シート部１３に貼り付けるものである。封緘テープ３０は、長手方向の一端部を粘着面３１側に折り返して粘着面３１に貼り付けることにより形成された折り返し部３０ａを有する。つまり、折り返し部３０ａは、表面に粘着性がなく、指で容易に摘めるようになっている。
【００２９】
封緘テープ３０は、図６（ａ）に示すように、折り返し部３０ａを残した状態で、粘着面３１を第１被覆部２０及び第２被覆部２５に貼り付けられる。また、封緘テープ３０は、図６（ｂ）に示すように、粘着面３１が露出していない折り返し部３０ａを指で摘んで引っ張ることにより、第１被覆部２０及び第２被覆部２５から容易に剥離される。
【００３０】
次に、本実施形態の封筒１０の製造方法について説明する。本実施形態の封筒１０の製造方法は、封筒本体部１１と封緘片部１７とを備える封筒に対して、第１被覆部２０及び第２被覆部２５を設けるものである。本実施形態の封筒１０の製造方法は、第１被覆部２０を形成する第１被覆部形成工程と、第２被覆部２５を形成する第２被覆部形成工程と、を含む。
【００３１】
具体的には、第１被覆部形成工程は、第１被覆部材２０ａによって封緘片部１７における表シート部１２側の表面及び表シート部１２の表面における開口部１４側を被覆し、第１被覆部２０を形成する工程である。その際、封緘片部１７及び表シート部１２は、第１被覆部材２０ａによって折り目部１８を跨いで被覆される。第１被覆部形成工程では、透明な合成樹脂フィルムにより粘着テープとして構成された第１被覆部材２０ａを、封緘片部１７及び表シート部１２に接着することにより、第１被覆部２０を形成する。
【００３２】
第２被覆部形成工程は、第２被覆部材２５ａによって裏シート部１３の表面における開口部１４側を被覆し、第２被覆部２５を形成する工程である。第２被覆部形成工程では、透明な合成樹脂フィルムにより粘着テープとして構成された第２被覆部材２５ａを、裏シート部１３の表面における開口部１４側に接着することにより、第２被覆部２５を形成する。
【００３３】
次に、本実施形態の封筒１０の封緘方法及び開封方法について図６を参照しながら説明する。封筒１０を封緘する場合は、図６（ａ）に示すように、封緘片部１７を折り目部１８において裏シート部１３に折り返す。次に、所定長さの封緘テープ３０を、封緘片部１７の第１被覆部２０及び裏シート部１３の第２被覆部２５に略均等に跨るように位置決めして貼り付ける。これにより、封筒１０が封緘される。
【００３４】
また、封筒１０を開封する場合は、図６（ｂ）に示すように、粘着面３１が露出していない折り返し部３０ａを指で摘んで引っ張ることにより、封緘テープ３０を第１被覆部２０及び第２被覆部２５から剥離する。第１被覆部２０及び第２被覆部２５は、表面が円滑（滑り性が高い）なので、封筒１０を損傷することなく、封緘テープ３０を容易に剥離することができる。
【００３５】
以上のように、本実施形態の封筒１０によれば、以下に示す各効果が奏される。
本実施形態の封筒１０は、封筒本体部１１と、第１被覆部２０と、第２被覆部２５と、を備え、第２被覆部２５における開口部１４から遠い側の端縁部２５ｂは、封緘片部１７が裏シート部１３側に折り返された状態において、封緘片部１７の先端部１７ａよりも封筒本体部１１の他端側に位置している。
【００３６】
そのため、表シート部１２側の封緘片部１７の表面が第１被覆部２０によって補強されると共に、裏シート部１３の表面における開口部１４側が第２被覆部２５によって補強されるので、第１被覆部２０及び第２被覆部２５によって補強された封緘部分に貼り付けられた接着テープ（封緘テープ）等を剥がしても、この封緘部分が損傷しにくい。従って、本実施形態の封筒１０によれば、簡易な構成により容易に開封することができると共に、再利用可能な回数を増加することができる。
【００３７】
また、第１被覆部２０は、第１被覆部材２０ａによって折り目部１８を跨いで表シート部１２の表面における開口部１４側が被覆されて形成される。そのため、折り目部１８が第１被覆部２０によって補強され、封緘片部１７が折り目部１８から破断しにくくなる。従って、封筒１０の再利用可能な回数を増加することができる。
【００３８】
また、封筒１０は、封緘片部１７を裏シート部１３に貼り付ける封緘テープ３０を更に備える。そのため、封緘片部１７の封緘作業が容易になり、封筒１０を再利用し易くすることができる。特に、封筒１０を社内で書類等を送付する際に使用する場合には、手軽に何度でも封筒１０を再利用することができ、利便性がきわめて高い。
【００３９】
また、封緘テープ３０は、粘着面３１が露出していない折り返し部３０ａを有して第１被覆部２０及び第２被覆部２５に貼り付けられる。そのため、折り返し部３０ａを指で摘むことにより、封緘テープ３０を第１被覆部２０及び第２被覆部２５から剥離し易くなる。従って、封筒１０を再利用し易くすることができる。
【００４０】
第１被覆部材２０ａ及び第２被覆部材２５ａは、透明な合成樹脂フィルムにより構成される。そのため、封筒本体部１１や封緘片部１７に色彩や図柄等が付されている場合であっても、第１被覆部材２０ａ及び第２被覆部材２５ａによる被覆によって色彩や図柄等が損なわれることを抑制することができる。従って、封筒１０を見栄えよく再利用することができる。
【００４１】
また、本実施形態の封筒１０の製造方法によれば、前記効果を奏する封筒１０を容易かつ低コストで製造することができる。
【００４２】
以上、本発明の一実施形態について説明したが、本発明は、前述した実施形態に制限されるものではなく、適宜変更が可能である。
【００４３】
また、前記実施形態においては、第１被覆部材２０ａ及び第２被覆部材２５ａは、透明な合成樹脂フィルムにより構成されるものとして説明したが、これに制限されない。例えば、第１被覆部材２０ａ及び第２被覆部材２５ａは、封筒１０と同一の色又は異なる色であってもよい。
【符号の説明】
【００４４】
１０  封筒
１１  封筒本体部
１２  表シート部
１２ａ  端縁部
１３  裏シート部
１４  開口部
１７  封緘片部
１７ａ  先端部
１８  折り目部
２０  第１被覆部
２０ａ  第１被覆部材
２５  第２被覆部
２５ａ  第２被覆部材
２５ｂ  端縁部
３０  封緘テープ
３１  粘着面
【図１】
0005436156.tif 000002
【図２】
0005436156.tif 000003
【図３】
0005436156.tif 000004
【図４】
0005436156.tif 000005
【図５】
0005436156.tif 000006
【図６】
0005436156.tif 000007